【手続補正書】
【提出日】平成20年8月29日(2008.8.29)
【手続補正１】
【補正対象書類名】特許請求の範囲
【補正対象項目名】全文
【補正方法】変更
【補正の内容】
【特許請求の範囲】
【請求項１】
被写体の光の光路を２つに分離させる光路分離手段と、
前記光路分離手段により分離された一方の被写体の光を画像データに変換する第１の撮像素子と、
前記光路分離手段により分離された他方の被写体の光を画像データに変換する第２の撮像素子と、
前記第１の撮像素子を駆動させる第１の駆動手段と、
前記第２の撮像素子を駆動させる第２の駆動手段と、
光路長を変えることにより、各光路長における前記第２の駆動手段の駆動により前記第２の撮像素子から読み出された画像データに基づいてＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なう第１のコントラストＡＦ手段と、
前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記第１のコントラストＡＦ手段にオートフォーカス動作を行なわせる第１の制御手段と、
を備えたことを特徴とする撮像装置。
【請求項２】
前記第１のコントラストＡＦ手段は、
前記第２の駆動手段により前記第２の撮像素子から読み出される画像データの読み出し周期で、光路長を変えていくことにより、各光路長におけるＡＦ評価値を検出することを特徴とする請求項１記載の撮像装置。
【請求項３】
半押し操作と全押し操作が可能なシャッタボタンと、
前記シャッタボタンが半押しされたか否かを判断する第１の判断手段と、
前記シャッタボタンが一気に全押しされたか否かを判断する第２の判断手段と、
を備え、
前記第１の制御手段は、
前記第１の判断手段により前記シャッタボタンが半押しされたと判断された場合は、前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記第１のコントラストＡＦ手段にオートフォーカス動作を行なわせることを特徴とする請求項１又は２記載の撮像装置。
【請求項４】
前記第１の制御手段による前記第１のコントラストＡＦ手段のオートフォーカス動作が完了した場合、又は、前記第１の判断手段及び前記第２の判断手段によりシャッタボタンが半押し、一気に全押しされたと判断されるまでは、前記第１の駆動手段による前記第１の撮像素子の駆動及び前記第２の駆動手段による前記第２の撮像素子の駆動を、スルー画像表示に適した駆動に制御する第２の制御手段と、
前記第２の制御手段により制御された前記第１及び前記第２の駆動手段により前記第１の撮像素子及び前記第２の撮像素子から読み出される画像データを合成し、該合成した画像データをスルー画像として表示手段に表示させる表示制御手段と、
を備えたことを特徴とする請求項１乃至３の何れかに記載の撮像装置。
【請求項５】
前記第１の制御手段による前記第１のコントラストＡＦ手段のオートフォーカス動作が完了した場合、又は、前記第１の判断手段及び前記第２の判断手段によりシャッタボタンが半押し、一気に全押しされたと判断されるまでは、前記第１の撮像素子及び前記第２の撮像素子のうち、どちらか一方の撮像素子の駆動をスルー画像表示に適した駆動に制御し、他方の撮像素子の駆動を停止させるように制御する第２の制御手段と、
前記第２の制御手段により制御されたスルー画像表示に適した駆動により前記一方の撮像素子から読み出される画像データを表示手段に表示させる表示制御手段と、
を備えたことを特徴とする請求項１乃至３の何れかに記載の撮像装置。
【請求項６】
前記第１の撮像素子に入射する被写体の光の光路長と、前記第２の撮像素子に入射する被写体の光の光路長とをそれぞれ変えることにより、ＡＦサーチ範囲内の各光路長におけるＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なう第２のコントラストＡＦ手段と、
前記第２の判断手段により前記シャッタボタンが一気に全押しされたと判断された場合には、前記第１の駆動手段による前記第１の撮像素子の駆動及び前記第２の駆動手段による前記第２の撮像素子の駆動を、スルー画像表示に適した駆動より高速な駆動に制御した状態で、前記第２のコントラストＡＦ手段にオートフォーカス動作を行なわせる第３の制御手段と、
を備えたことを特徴とする請求項３乃至５の何れかに記載の撮像装置。
【請求項７】
前記第２のコントラストＡＦ手段は、
前記第１及び前記第２の駆動手段により前記第１及び前記第２の撮像素子から読み出される画像データの読み出し周期で、前記第１及び前記第２の撮像素子に入射されるそれぞれの光の光路長を変えていくことにより、ＡＦサーチ範囲内の各光路長におけるＡＦ評価値を検出するとともに、ＡＦサーチ範囲内の各光路長におけるＡＦ評価値を前記第１の撮像素子と、前記第２の撮像素子とに分担させて検出させることを特徴とする請求項６記載の撮像装置。
【請求項８】
前記シャッタボタンが全押しされたか否かを判断する第３の判断手段と、
前記第３の判断手段によりシャッタボタンが全押しされたと判断された場合は、前記第１の撮像素子及び前記第２の撮像素子から読み出された２枚の画像データを合成し、該合成した画像データを記録手段に記録する記録制御手段と、
を備えたことを特徴とする請求項１乃至７の何れかに記載の撮像装置。
【請求項９】
前記第２の判断手段は、
前記第３の判断手段により前記シャッタボタンが全押しされたと判断されたときに、前記第１のコントラストＡＦ手段のオートフォーカス動作が行なわれている場合は、前記シャッタボタンが一気に全押しされたと判断することを特徴とする請求項８記載の撮像装置。
【請求項１０】
前記第２の判断手段は、
前記シャッタボタンが半押しされてから所定時間経過前に前記シャッタボタンが全押しされた場合には、前記シャッタボタンが一気に全押しされたと判断し、
前記第１の判断手段は、
前記シャッタボタンが半押しされてから前記シャッタボタンが全押しされることなく所定時間が経過した場合には、前記シャッタボタンが半押しされたと判断することを特徴とする請求項３乃至８の何れかに記載の撮像装置。
【請求項１１】
前記スルー画像表示に適した駆動より高速な駆動は、
少なくとも１部読み出し駆動、画素加算駆動のうち１つ以上の駆動を行なうことを特徴とする請求項１乃至１０の何れかに記載の撮像装置。
【請求項１２】
被写体の光の光路を２つに分離させる光路分離手段と、
前記光路分離手段により分離された一方の被写体の光を画像データに変換する第１の撮像素子と、
前記光路分離手段により分離された他方の被写体の光を画像データに変換する第２の撮像素子と、
前記第１の撮像素子を駆動させる第１の駆動手段と、
前記第２の撮像素子を駆動させる第２の駆動手段と、
を備えた撮像装置を実行させるためのプログラムであって、
光路長を変えることにより、各光路長における前記第２の駆動手段の駆動により前記第２の撮像素子から読み出された画像データに基づいてＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なうコントラストＡＦ処理と、
前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記コントラストＡＦ処理にオートフォーカス動作を行なわせる処理と、
を含むことを特徴とするプログラム。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記目的達成のため、請求項１記載の発明による撮像装置は、被写体の光の光路を２つに分離させる光路分離手段と、前記光路分離手段により分離された一方の被写体の光を画像データに変換する第１の撮像素子と、前記光路分離手段により分離された他方の被写体の光を画像データに変換する第２の撮像素子と、前記第１の撮像素子を駆動させる第１の駆動手段と、前記第２の撮像素子を駆動させる第２の駆動手段と、光路長を変えることにより、各光路長における前記第２の駆動手段の駆動により前記第２の撮像素子から読み出された画像データに基づいてＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なう第１のコントラストＡＦ手段と、前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記第１のコントラストＡＦ手段にオートフォーカス動作を行なわせる第１の制御手段と、を備えたことを特徴とする。
【手続補正５】
【補正対象書類名】明細書
【補正対象項目名】００１１
【補正方法】変更
【補正の内容】
【００１１】
また、例えば、請求項２に記載されているように、前記第１のコントラストＡＦ手段は、前記第２の駆動手段により前記第２の撮像素子から読み出される画像データの読み出し周期で、光路長を変えていくことにより、各光路長におけるＡＦ評価値を検出するようにしてもよい。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
また、例えば、請求項３に記載されているように、半押し操作と全押し操作が可能なシャッタボタンと、前記シャッタボタンが半押しされたか否かを判断する第１の判断手段と、前記シャッタボタンが一気に全押しされたか否かを判断する第２の判断手段と、を備え、前記第１の制御手段は、前記第１の判断手段により前記シャッタボタンが半押しされたと判断された場合は、前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記第１のコントラストＡＦ手段にオートフォーカス動作を行なわせるようにしてもよい。
【手続補正８】
【補正対象書類名】明細書
【補正対象項目名】００１４
【補正方法】変更
【補正の内容】
【００１４】
また、例えば、請求項４に記載されているように、前記第１の制御手段による前記第１のコントラストＡＦ手段のオートフォーカス動作が完了した場合、又は、前記第１の判断手段及び前記第２の判断手段によりシャッタボタンが半押し、一気に全押しされたと判断されるまでは、前記第１の駆動手段による前記第１の撮像素子の駆動及び前記第２の駆動手段による前記第２の撮像素子の駆動を、スルー画像表示に適した駆動に制御する第２の制御手段と、前記第２の制御手段により制御された前記第１及び前記第２の駆動手段により前記第１の撮像素子及び前記第２の撮像素子から読み出される画像データを合成し、該合成した画像データをスルー画像として表示手段に表示させる表示制御手段と、を備えるようにしてもよい。
【手続補正９】
【補正対象書類名】明細書
【補正対象項目名】００１５
【補正方法】変更
【補正の内容】
【００１５】
また、例えば、請求項５に記載されているように、前記第１の制御手段による前記第１のコントラストＡＦ手段のオートフォーカス動作が完了した場合、又は、前記第１の判断手段及び前記第２の判断手段によりシャッタボタンが半押し、一気に全押しされたと判断されるまでは、前記第１の撮像素子及び前記第２の撮像素子のうち、どちらか一方の撮像素子の駆動をスルー画像表示に適した駆動に制御し、他方の撮像素子の駆動を停止させるように制御する第２の制御手段と、前記第２の制御手段により制御されたスルー画像表示に適した駆動により前記一方の撮像素子から読み出される画像データを表示手段に表示させる表示制御手段と、を備えるようにしてもよい。
【手続補正１０】
【補正対象書類名】明細書
【補正対象項目名】００１６
【補正方法】変更
【補正の内容】
【００１６】
また、例えば、請求項６に記載されているように、前記第１の撮像素子に入射する被写体の光の光路長と、前記第２の撮像素子に入射する被写体の光の光路長とをそれぞれ変えることにより、ＡＦサーチ範囲内の各光路長におけるＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なう第２のコントラストＡＦ手段と、前記第２の判断手段により前記シャッタボタンが一気に全押しされたと判断された場合には、前記第１の駆動手段による前記第１の撮像素子の駆動及び前記第２の駆動手段による前記第２の撮像素子の駆動を、スルー画像表示に適した駆動より高速な駆動に制御した状態で、前記第２のコントラストＡＦ手段にオートフォーカス動作を行なわせる第３の制御手段と、を備えるようにしてもよい。
【手続補正１１】
【補正対象書類名】明細書
【補正対象項目名】００１７
【補正方法】変更
【補正の内容】
【００１７】
また、例えば、請求項７に記載されているように、前記第２のコントラストＡＦ手段は、前記第１及び前記第２の駆動手段により前記第１及び前記第２の撮像素子から読み出される画像データの読み出し周期で、前記第１及び前記第２の撮像素子に入射されるそれぞれの光の光路長を変えていくことにより、ＡＦサーチ範囲内の各光路長におけるＡＦ評価値を検出するとともに、ＡＦサーチ範囲内の各光路長におけるＡＦ評価値を前記第１の撮像素子と、前記第２の撮像素子とに分担させて検出させるようにしてもよい。
【手続補正１２】
【補正対象書類名】明細書
【補正対象項目名】００１８
【補正方法】変更
【補正の内容】
【００１８】
また、例えば、請求項８に記載されているように、前記シャッタボタンが全押しされたか否かを判断する第３の判断手段と、前記第３の判断手段によりシャッタボタンが全押しされたと判断された場合は、前記第１の撮像素子及び前記第２の撮像素子から読み出された２枚の画像データを合成し、該合成した画像データを記録手段に記録する記録制御手段と、を備えるようにしてもよい。
【手続補正１３】
【補正対象書類名】明細書
【補正対象項目名】００１９
【補正方法】変更
【補正の内容】
【００１９】
また、例えば、請求項９に記載されているように、前記第２の判断手段は、前記第３の判断手段により前記シャッタボタンが全押しされたと判断されたときに、前記第１のコントラストＡＦ手段のオートフォーカス動作が行なわれている場合は、前記シャッタボタンが一気に全押しされたと判断するようにしてもよい。
【手続補正１４】
【補正対象書類名】明細書
【補正対象項目名】００２０
【補正方法】変更
【補正の内容】
【００２０】
また、例えば、請求項１０に記載されているように、前記第２の判断手段は、前記シャッタボタンが半押しされてから所定時間経過前に前記シャッタボタンが全押しされた場合には、前記シャッタボタンが一気に全押しされたと判断し、前記第１の判断手段は、前記シャッタボタンが半押しされてから前記シャッタボタンが全押しされることなく所定時間が経過した場合には、前記シャッタボタンが半押しされたと判断するようにしてもよい。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
また、例えば、請求項１１に記載されているように、前記スルー画像表示に適した駆動より高速な駆動は、少なくとも１部読み出し駆動、画素加算駆動のうち１つ以上の駆動を行なうようにしてもよい。
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】変更
【補正の内容】
【００２５】
上記目的達成のため、請求項１２記載の発明によるプログラムは、被写体の光の光路を２つに分離させる光路分離手段と、前記光路分離手段により分離された一方の被写体の光を画像データに変換する第１の撮像素子と、前記光路分離手段により分離された他方の被写体の光を画像データに変換する第２の撮像素子と、前記第１の撮像素子を駆動させる第１の駆動手段と、前記第２の撮像素子を駆動させる第２の駆動手段と、を備えた撮像装置を実行させるためのプログラムであって、光路長を変えることにより、各光路長における前記第２の駆動手段の駆動により前記第２の撮像素子から読み出された画像データに基づいてＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なうコントラストＡＦ処理と、前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記コントラストＡＦ処理にオートフォーカス動作を行なわせる処理と、を含むことを特徴とする。
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】変更
【補正の内容】
【００２８】
請求項１記載の発明によれば、被写体の光の光路を２つに分離させる光路分離手段と、前記光路分離手段により分離された一方の被写体の光を画像データに変換する第１の撮像素子と、前記光路分離手段により分離された他方の被写体の光を画像データに変換する第２の撮像素子と、前記第１の撮像素子を駆動させる第１の駆動手段と、前記第２の撮像素子を駆動させる第２の駆動手段と、光路長を変えることにより、各光路長における前記第２の駆動手段により前記第２の撮像素子から読み出された画像データに基づいてＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なう第１のコントラストＡＦ手段と、前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記第１のコントラストＡＦ手段にオートフォーカス動作を行なわせる第１の制御手段と、を備えるようにしたので、第２の撮像素子を高速駆動させることによりフレームレートが上り迅速に被写体に対してフォーカスすることができるとともに、第１の撮像素子をスルー画像表示に適した駆動で駆動させるので、ＡＦ処理中であっても被写体のスルー画像を表示させることができる。
【手続補正２３】
【補正対象書類名】明細書
【補正対象項目名】００２９
【補正方法】変更
【補正の内容】
【００２９】
請求項２記載の発明によれば、前記第１のコントラストＡＦ手段は、前記第２の駆動手段により前記第２の撮像素子から読み出される画像データの読み出し周期で、光路長を変えていくことにより、各光路長におけるＡＦ評価値を検出するようにしたので、ＡＦ処理時間を短縮することができる。
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】変更
【補正の内容】
【００３１】
請求項３記載の発明によれば、半押し操作と全押し操作が可能なシャッタボタンと、前記シャッタボタンが半押しされたか否かを判断する第１の判断手段と、前記シャッタボタンが一気に全押しされたか否かを判断する第２の判断手段と、を備え、前記第１の制御手段は、前記第１の判断手段により前記シャッタボタンが半押しされたと判断された場合は、前記第１の駆動手段による前記第１の撮像素子の駆動をスルー画像表示に適した駆動に制御するとともに、前記第２の駆動手段による前記第２の撮像素子の駆動をスルー画像表示に適した駆動より高速な駆動に制御した状態で前記第１のコントラストＡＦ手段にオートフォーカス動作を行なわせるようにしたので、シャッタボタンが半押しされた場合には、第２の撮像素子を高速駆動させることによりフレームレートが上り迅速に被写体に対してフォーカスすることができるとともに、第１の撮像素子をスルー画像表示に適した駆動で駆動させるので、ＡＦ処理中であっても被写体のスルー画像を表示させることができる。
【手続補正２６】
【補正対象書類名】明細書
【補正対象項目名】００３２
【補正方法】変更
【補正の内容】
【００３２】
請求項４記載の発明によれば、前記第１の制御手段による前記第１のコントラストＡＦ手段のオートフォーカスが完了した場合、又は、前記第１の判断手段及び前記第２の判断手段によりシャッタボタンが半押し、一気に全押しされたと判断されるまでは、前記第１の駆動手段による前記第１の撮像素子の駆動及び前記第２の駆動手段による前記第２の撮像素子の駆動を、スルー画像表示に適した駆動に制御する第２の制御手段と、前記第２の制御手段により制御された前記第１及び前記第２の駆動手段により前記第１の撮像素子及び前記第２の撮像素子から読み出される画像データを合成し、該合成した画像データをスルー画像として表示手段に表示させる表示制御手段と、を備えるようにしたので、ＡＦ処理中以外のスルー画像表示では、光量不足でない画像データを表示させることができる。
【手続補正２７】
【補正対象書類名】明細書
【補正対象項目名】００３３
【補正方法】変更
【補正の内容】
【００３３】
請求項５記載の発明によれば、前記第１の制御手段による前記第１のコントラストＡＦ手段のオートフォーカス動作が完了した場合、又は、前記第１の判断手段及び前記第２の判断手段によりシャッタボタンが半押し、一気に全押しされたと判断されるまでは、前記第１の撮像素子及び前記第２の撮像素子のうち、どちらか一方の撮像素子の駆動をスルー画像表示に適した駆動に制御し、他方の撮像素子の駆動を停止させるように制御する第２の制御手段と、前記第２の制御手段により制御されたスルー画像表示に適した駆動により前記一方の撮像素子から読み出される画像データを表示手段に表示させる表示制御手段と、を備えるようにしたので、消費電力を軽減することができる。
【手続補正２８】
【補正対象書類名】明細書
【補正対象項目名】００３４
【補正方法】変更
【補正の内容】
【００３４】
請求項６記載の発明によれば、前記第１の撮像素子に入射する被写体の光の光路長と、前記第２の撮像素子に入射する被写体の光の光路長とをそれぞれ変えることにより、ＡＦサーチ範囲内の各光路長におけるＡＦ評価値を検出し、該検出したＡＦ評価値の中で最もＡＦ評価値が高くなる光路長となるように、前記第１及び前記第２の撮像素子に入射する被写体の光の光路長を制御することにより、被写体に対してオートフォーカスを行なう第２のコントラストＡＦ手段と、前記第２の判断手段により前記シャッタボタンが一気に全押しされたと判断された場合には、前記第１の駆動手段による前記第１の撮像素子の駆動及び前記第２の駆動手段による前記第２の撮像素子の駆動を、スルー画像表示に適した駆動より高速な駆動に制御した状態で、前記第２のコントラストＡＦ手段にオートフォーカス動作を行なわせる第３の制御手段と、を備えるようにしたので、シャッタボタンが一気に全押しされた場合は、更にＡＦ処理時間を短縮することができる。
【手続補正２９】
【補正対象書類名】明細書
【補正対象項目名】００３５
【補正方法】変更
【補正の内容】
【００３５】
請求項７記載の発明によれば、前記第２のコントラストＡＦ手段は、前記第１及び前記第２の駆動手段により前記第１及び前記第２の撮像素子から読み出される画像データの読み出し周期で、前記第１及び前記第２の撮像素子に入射されるそれぞれの光の光路長を変えていくことにより、ＡＦサーチ範囲内の各光路長におけるＡＦ評価値を検出するとともに、ＡＦサーチ範囲内の各光路長におけるＡＦ評価値を前記第１の撮像素子と、前記第２の撮像素子とに分担させて検出させるようにしたので、更に、ＡＦ処理時間を短縮することができる。
【手続補正３０】
【補正対象書類名】明細書
【補正対象項目名】００３６
【補正方法】変更
【補正の内容】
【００３６】
請求項８記載の発明によれば、前記シャッタボタンが全押しされたか否かを判断する第３の判断手段と、前記第３の判断手段によりシャッタボタンが全押しされたと判断された場合は、前記第１の撮像素子及び前記第２の撮像素子から読み出された２枚の画像データを合成し、該合成した画像データを記録手段に記録する記録制御手段と、を備えるようにしたので、光量不足でない画像データを記録することができる。
【手続補正３１】
【補正対象書類名】明細書
【補正対象項目名】００３７
【補正方法】変更
【補正の内容】
【００３７】
請求項９記載の発明によれば、前記第２の判断手段は、前記第３の判断手段により前記シャッタボタンが全押しされたと判断されたときに、前記第１のコントラストＡＦ手段のオートフォーカス動作が行なわれている場合は、前記シャッタボタンが一気に全押しされたと判断するようにしたので、迅速に被写体に対してフォーカスすることができる。
【手続補正３２】
【補正対象書類名】明細書
【補正対象項目名】００３８
【補正方法】変更
【補正の内容】
【００３８】
請求項１０記載の発明によれば、前記第２の判断手段は、前記シャッタボタンが半押しされてから所定時間経過前に前記シャッタボタンが全押しされた場合は、前記シャッタボタンが一気に全押しされたと判断し、前記第１の判断手段は、前記シャッタボタンが半押しされてから前記シャッタボタンが全押しさせることなく所定時間が経過した場合には、前記シャッタボタンが半押しされたと判断するようにしたので、シャッタボタン半押し後、所定時間経過前に全押することにより、迅速なＡＦ処理を行うことができ、ＡＦ処理時間を短縮することができる。
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】変更
【補正の内容】
【００４０】
請求項１１記載の発明によれば、前記スルー画像表示に適した駆動より高速な駆動は、少なくとも１部読み出し駆動、画素加算駆動のうち１つ以上の駆動を行なうようにしたので、画像データの読み出し周期を早くすることができ、ＡＦ処理時間を短縮することができる。
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】変更
【補正の内容】
【００４３】
請求項１２記載の発明によれば、デジタルカメラ、パソコン等に読み込ませることにより、本発明の撮像装置を実現することができる。
【手続補正３８】
【補正対象書類名】明細書
【補正対象項目名】００６７
【補正方法】変更
【補正の内容】
【００６７】
所定時間経過したと判断する前に、ここでは、シャッタボタンが半押しされてから０．１秒経過する前に（ステップＳ４でＮに分岐）、シャッタボタンが全押しされたと判断すると（ステップＳ５でＹに分岐）、ユーザがシャッタボタンを一気に全押しした、つまり、ユーザが迅速な撮影を要求していると判断し、ＣＰＵ８は、ＴＧ４に制御信号を送り、ＣＣＤ３の駆動を、スルー画像用駆動から高速駆動に切り替えて、コントラスト検出方式によるＡＦ処理を実行させる（ステップＳ６）。つまり、スルー画像用の駆動から高速駆動に切り替えることにより、ＣＣＤ３の読出し周期を早くすることにより、ＡＦ処理を早くするというものである。